(57)【要約】【課題】電源が投入されたときに二次側整流平滑部４の出力電圧Ｖｏｕｔを徐々に増加させていくソフトスタートを行っている期間中において、同期整流器５，６がターンオンし始めた直後の出力電圧Ｖｏｕｔの低下変動を抑制する。【解決手段】インダクタンス回路９は、当該回路９の通電電流が、設定値よりも小さくなったときに、インダクタンス値を大きくする可変インダクタンス回路とする。インダクタンス回路９は、通常運転中の飽和を回避できる小さいインダクタンス値を持ち、また、通電電流が小さい場合には、出力電圧Ｖｏｕｔの低下変動を抑制できる大きなインダクタンス値に可変する。【選択図】        図４
2004274904.tif 000002
【特許請求の範囲】
【請求項１】
トランスの一次側に設けられたスイッチ素子と、このスイッチ素子のスイッチング動作に応じてトランスの二次側から出力された電圧を整流平滑する二次側整流平滑部と、この二次側整流平滑部から出力された電圧をトランスの一次側に設けた三次コイルの電圧を利用して間接的に検出する出力電圧間接検出部と、その出力電圧の間接的な検出値に基づいて二次側整流平滑部の出力電圧を安定化すべく前記スイッチ素子のスイッチング動作を制御するスイッチング制御部と、電源が投入されたときに二次側整流平滑部の出力電圧を徐々に増加させて当該出力電圧を立ち上げていくソフトスタート動作を制御するためのソフトスタート制御部とを備えたスイッチング電源装置において、二次側整流平滑部は、ＭＯＳ−ＦＥＴから成る同期整流器と、インダクタンス回路とを有して構成され、そのインダクタンス回路は、当該回路の通電電流が設定値よりも小さくなったときにインダクタンス値を大きくする可変インダクタンス回路と成していることを特徴とするスイッチング電源装置。
【請求項２】
可変インダクタンス回路は、直流重畳特性において飽和電流の大きいコア部と飽和電流の小さいコア部を有するコアを備えたスィンギングチョークコイルにより構成されており、当該スィンギングチョークコイルは、通電電流が設定値を越えたときに飽和電流の小さいコア部が飽和してインダクタンス値が小さくなることを特徴とする請求項１記載のスイッチング電源装置。
【請求項３】
可変インダクタンス回路は、インダクタンス値が互いに異なる複数のインダクタの直列接続体により構成されていることを特徴とする請求項１記載のスイッチング電源装置。
【発明の詳細な説明】
【０００１】
【発明の属する技術分野】
本発明は、トランスを有し当該トランスの二次側から出力される電圧をＭＯＳ−ＦＥＴの同期整流器を利用して整流する構成を備えたスイッチング電源装置に関するものである。
【０００２】
【背景技術】
図４にはスイッチング電源装置の一回路構成例が示されている。このスイッチング電源装置１はトランス２を有し、このトランス２の一次コイルＮ１にはスイッチ素子（例えばＭＯＳ−ＦＥＴ）Ｑが接続されている。また、一次コイルＮ１とスイッチ素子Ｑの接続体に並列的にコンデンサ３が接続されている。
【０００３】
トランス２の二次コイルＮ２には二次側整流平滑部４が接続されている。この二次側整流平滑部４は、スイッチ素子Ｑのスイッチング動作に応じて二次コイルＮ２から出力される電圧を整流平滑する回路である。当該二次側整流平滑部４は、ＭＯＳ−ＦＥＴから成る同期整流器５，６と、これら同期整流器５，６の駆動制御を行う同期整流器駆動回路７と、チョークコイル８から成るインダクタンス回路９と、平滑コンデンサ１０とを有して構成されている。この二次側整流平滑部４から出力される電圧がスイッチング電源装置１の出力電圧Ｖｏｕｔとして負荷２０に供給される。
【０００４】
さらに、トランス２には一次コイルＮ１に磁気結合する三次コイルＮ３が設けられており、この三次コイルＮ３には出力電圧間接検出部１１が接続されている。この出力電圧間接検出部１１は三次コイルＮ３の出力電圧を整流平滑する回路構成を有し、その整流平滑後の電圧を二次側整流平滑部４の出力電圧Ｖｏｕｔの間接的な検出電圧Ｖｄとして出力する。
【０００５】
スイッチ素子Ｑの制御端子（ゲート）にはスイッチング制御部１２が接続されている。スイッチング制御部１２は、出力電圧Ｖｏｕｔが設定の電圧値に安定化するように、出力電圧間接検出部１１から出力された検出電圧Ｖｄに基づいてスイッチ素子Ｑのスイッチング制御を行うものである。例えば、スイッチング制御部１２は、検出電圧Ｖｄに基づいてスイッチング制御用のパルス信号を作成し、当該パルス信号をスイッチ素子Ｑの制御端子（ゲート）に加えてスイッチ素子Ｑのオン・オフのスイッチング動作を制御する。
【０００６】
このような構成のスイッチング電源装置１では、スイッチング制御部１２のスイッチング制御によってスイッチ素子Ｑがスイッチオンすると、一次コイルＮ１に接続された入力電源２１から入力電圧Ｖｉｎがコンデンサ３を介してトランス２の一次コイルＮ１に供給される。これにより一次コイルＮ１に発生した電圧に基づいて二次コイルＮ２には電圧が誘起される。同期整流器駆動回路７はその二次コイルＮ２の誘起電圧を利用して、スイッチ素子Ｑのスイッチオン期間には、同期整流器５をオン状態とし、同期整流器６をオフ状態に制御する。
【０００７】
スイッチ素子Ｑのスイッチオン期間には、そのように同期整流器５，６が駆動制御されるので、二次側整流平滑部４には、二次コイルＮ２の誘起電圧に基づいて、二次コイルＮ２と平滑コンデンサ１０とチョークコイル８と同期整流器５を通るループ経路でもって電流が通電する。これにより、二次側整流平滑部４においては、二次コイルＮ２の誘起電圧が同期整流器５により整流され、また、チョークコイル８と平滑コンデンサ１０により平滑され、当該整流平滑された電圧が出力電圧Ｖｏｕｔとして負荷２０に出力される。このようなスイッチ素子Ｑのスイッチオン期間には、チョークコイル８には通電により電磁エネルギーが蓄積される。
【０００８】
スイッチング制御部１２によってスイッチ素子Ｑがスイッチオフすると、同期整流器駆動回路７は同期整流器５をオフ状態とし、同期整流器６をオン状態とする。これにより、二次側整流平滑部４には、チョークコイル８に蓄積されたエネルギーに基づいて、チョークコイル８と同期整流器６と平滑コンデンサ１０を通るループ経路でもって電流が通電する。このため、スイッチ素子Ｑのスイッチオフ期間では、同期整流器６が整流動作を行い、この同期整流器６によって整流された電圧が平滑コンデンサ１０で平滑され当該整流平滑された電圧が出力電圧Ｖｏｕｔとして負荷２０に出力される。
【０００９】
ところで、この例では、スイッチング制御部１２にはソフトスタート制御部１３が内蔵されている。このソフトスタート制御部１３は、電源が投入されたときに、図５（ａ）の波形例に示されるように、スイッチング制御部１２からスイッチ素子Ｑに加えられるスイッチング制御用のパルス信号のオンパルス幅Ｈを徐々に広げさせる回路構成を有する。このソフトスタート制御部１３によって、電源が投入されてから徐々にスイッチ素子Ｑのスイッチオン期間が長くなり、これにより、二次コイルＮ２に誘起される電圧も徐々に増加することとなる。このため、図５（ｂ）に示されるように、二次側整流平滑部４の出力電圧（つまり、スイッチング電源装置１の出力電圧）Ｖｏｕｔは、電源が投入されたときに急峻に設定値まで立ち上がるのではなく、徐々に設定値に向けて増加することとなる。つまり、この例のスイッチング電源装置１はソフトスタート機能を備えている。
【００１０】
【特許文献１】
特開２００２−２１８７３７号公報
【特許文献２】
特開平６−３１９２６０号公報
【００１１】
【発明が解決しようとする課題】
ＭＯＳ−ＦＥＴの同期整流器を備えた間接制御のスイッチング電源装置において、ソフトスタート機能を備えている場合に、そのソフトスタート期間中に図５（ｂ）の鎖線αに示すように一時的に電圧が低下する事態が生じることがある。その理由を以下に示す。
【００１２】
例えば、図４に示すスイッチング電源装置１においては、同期整流器駆動回路７は、トランス２の二次側に誘起される電圧を利用して、同期整流器５，６の駆動制御を行っている。このため、スイッチング電源装置１がソフトスタートを開始しても、トランス２の二次側に誘起される電圧が小さいために同期整流器駆動回路７から同期整流器５，６に、図６に示すような同期整流器５，６をオンできるスレッショルド電圧Ｖｔｈよりも大きな電圧のパルス信号を同期整流器５，６の制御端子（ゲート）に加えることができない期間がある。
【００１３】
この期間（つまり、ソフトスタートが開始されてから同期整流器５，６が初めてターンオンするまでの期間）においては、二次側整流平滑部４では、スイッチ素子Ｑのスイッチオン期間中には、二次コイルＮ２の誘起電圧に基づいて、二次コイルＮ２と平滑コンデンサ１０とチョークコイル８と同期整流器５の寄生ダイオードＤ５を通るループ状の経路でもって電流が通電する。また、スイッチ素子Ｑのスイッチオフ期間中には、チョークコイル８の蓄積エネルギーに基づいて、チョークコイル８と同期整流器６の寄生ダイオードＤ６と平滑コンデンサ１０を順に通るループ状の経路でもって電流が通電する。なお、同期整流器５，６のソース−ドレイン間にダイオード（例えばショットキーダイオード）が並列接続される場合がある。この場合には、寄生ダイオードＤ５，Ｄ６ではなく、その並列接続したダイオードに電流が通電する。
【００１４】
二次側整流平滑部４から負荷２０に出力される電流Ｉｏが、チョークコイル電流不連続モードの電流範囲内である場合（つまり、図７（ａ）に示す臨界点ＩＡよりも電流が小さくてチョークコイル８の通電電流ＩＬが図７（ｂ）に示すように不連続である場合）では、同期整流器５，６が初めてターンオンするまでの期間中において、二次側整流平滑部４の通電電流は同期整流器５，６の寄生ダイオードＤ５，Ｄ６又は外付けのダイオードを通って通電することから、それら寄生ダイオードＤ５，Ｄ６又は外付けのダイオードにより整流が行われる。このため、この期間中における負荷２０への出力電流Ｉｏと出力電圧Ｖｏｕｔとの関係は、例えば図７（ａ）の実線Ａに示すような関係となる。なお、この明細書では、二次側整流平滑部４がダイオードを利用して整流を行う動作をダイオード整流モードと呼ぶ。
【００１５】
これに対して、同じくチョークコイル電流不連続モード中に、同期整流器駆動回路７から同期整流器５，６の制御端子に加えられるパルス信号の電圧がスレッショルド電圧Ｖｔｈを越えて同期整流器５，６がターンオンし始めると、同期整流器５，６は、同期整流器駆動回路７の駆動制御により、スイッチ素子Ｑのスイッチング動作に同期してオン・オフ動作するようになり、同期整流器５，６により整流が行われる。このチョークコイル電流不連続モード中の同期整流器による整流期間には、負荷２０への出力電流Ｉｏと出力電圧Ｖｏｕｔとの関係は、例えば図７（ａ）の鎖線Ｂに示すような関係となる。なお、チョークコイル８の通電電流ＩＬが図７（ｃ）に示すような臨界点状態を経て図７（ｄ）に示すようなチョークコイル電流連続モードの状態に移行すると、出力電流Ｉｏと出力電圧Ｖｏｕｔとの関係は、図７（ａ）の点線Ｃに示すような関係となる。また、この明細書では、二次側整流平滑部４が同期整流器５，６を利用して整流を行う動作を同期整流器整流モードと呼ぶ。
【００１６】
例えば、スイッチング電源装置１のソフトスタート期間中に、同期整流器５，６が初めてターンオンして二次側整流平滑部４がダイオード整流モードから同期整流器整流モードに切り換わると、出力電流Ｉｏと出力電圧Ｖｏｕｔとの関係は、例えば図７（ａ）の実線Ａの関係から鎖線Ｂの関係に切り換わる。このため、例えば、その整流モード切り換え直前の二次側整流平滑部４の出力電圧Ｖｏｕｔが図７（ａ）に示す電圧Ｖ１であったとすると、ダイオード整流モードから同期整流器整流モードへの整流モード切り換えによって、出力電圧Ｖｏｕｔは電圧Ｖ１から電圧Ｖ２に低下する。この電圧低下が、前記したソフトスタート期間中における電圧低下（図５の鎖線α参照）である。
【００１７】
ところで、その整流モード切り換え直前にスイッチング電源装置１から負荷２０には電圧Ｖ１が供給されているので、整流モード切り換え時の負荷２０の電圧は電圧Ｖ１である。このため、整流モード切り換えにより、二次側整流平滑部４の出力電圧Ｖｏｕｔが電圧Ｖ１から電圧Ｖ２に低下すると、負荷２０の電圧Ｖ１よりも二次側整流平滑部４の出力電圧Ｖｏｕｔ（Ｖｏｕｔ＝Ｖ２）が低くなるので、負荷２０から二次側整流平滑部４側への逆流が生じる。この逆流によって、負荷２０が誤動作を起こす虞がある。
【００１８】
本発明は上記課題を解決するために成されたものであり、その目的は、ソフトスタート期間中における整流モード切り換えに起因した出力電圧低下変動を抑制できるスイッチング電源装置を提供することにある。
【００１９】
【課題を解決するための手段】
上記目的を達成するために、この発明は次に示す構成をもって前記課題を解決するための手段としている。すなわち、この発明は、トランスの一次側に設けられたスイッチ素子と、このスイッチ素子のスイッチング動作に応じてトランスの二次側から出力された電圧を整流平滑する二次側整流平滑部と、この二次側整流平滑部から出力された電圧をトランスの一次側に設けた三次コイルの電圧を利用して間接的に検出する出力電圧間接検出部と、その出力電圧の間接的な検出値に基づいて二次側整流平滑部の出力電圧を安定化すべく前記スイッチ素子のスイッチング動作を制御するスイッチング制御部と、電源が投入されたときに二次側整流平滑部の出力電圧を徐々に増加させて当該出力電圧を立ち上げていくソフトスタート動作を制御するためのソフトスタート制御部とを備えたスイッチング電源装置において、二次側整流平滑部は、ＭＯＳ−ＦＥＴから成る同期整流器と、インダクタンス回路とを有して構成され、そのインダクタンス回路は、当該回路の通電電流が設定値よりも小さくなったときにインダクタンス値を大きくする可変インダクタンス回路と成していることを特徴としている。
【００２０】
【発明の実施の形態】
以下に、この発明に係る実施形態例を図面に基づいて説明する。なお、以下に述べる各実施形態例の説明において、図４に示すスイッチング電源装置と同一構成部分には同一符号を付し、その共通部分の重複説明は省略する。
【００２１】
第１実施形態例のスイッチング電源装置１では、インダクタンス回路９のチョークコイル８はスィンギングチョークコイルにより構成されている。それ以外の構成は図４に示すスイッチング電源装置１と同様である。
【００２２】
図１（ａ）にはスィンギングチョークコイルのコアの一形態例が断面図により示されている。このスィンギングチョークコイル１５のコア１６は、コイルの巻回中心部に配置されるコア足１６ａにおいて、断面積が小さくて飽和電流の小さい可飽和コア部１７と、断面積が大きくて飽和電流の大きい非飽和コア部１８とを有して構成されている。このスィンギングチョークコイル１５のインダクタンス特性（直流重畳特性）の一例が図１（ｂ）のグラフに示されている。このグラフに示されるように、スィンギングチョークコイル１５は、当該スィンギングチョークコイル１５の通電電流ＩＬが小さいときには大きいインダクタンス値ＬＬを示し、通電電流ＩＬが大きくて可飽和コア部１７が飽和状態のときには小さいインダクタンス値Ｌｓを示す。
【００２３】
ところで、チョークコイル電流不連続モード中に二次側整流平滑部４がダイオード整流モードで整流動作を行っているときには、スイッチング電源装置１（二次側整流平滑部４）の出力電流Ｉｏと出力電圧Ｖｏｕｔとの関係は、例えば図２の実線Ａに示されるような関係となる。この出力電流Ｉｏと出力電圧Ｖｏｕｔとの関係を表すグラフの傾きは、インダクタンス回路９のインダクタンス値が大きくなるにつれて、図２の点線ａや点線ｂに示すように小さくなる。本発明者はこのことに着目した。
【００２４】
つまり、チョークコイル電流不連続モード中において、インダクタンス回路９のインダクタンス値を大きくすれば、ダイオード整流モード中であっても、出力電流Ｉｏと出力電圧Ｖｏｕｔの関係を表すグラフの傾きを同期整流器整流モード中と同様の小さい傾き（鎖線Ｂ参照）とすることができる。換言すれば、インダクタンス回路９のインダクタンス値を大きくすれば、チョークコイル電流不連続モード中において、ダイオード整流モード中も、同期整流器整流モード中も、出力電流Ｉｏと出力電圧Ｖｏｕｔの関係をほぼ同様にすることができる。これにより、ソフトスタート期間中のダイオード整流モードから同期整流器整流モードへの切り換えに起因した出力電圧Ｖｏｕｔの低下変動を抑制することができる。
【００２５】
しかしながら、そのようにインダクタンス回路９のチョークコイルのインダクタンス値を大きくすると、通常運転中にインダクタンス回路９は飽和してしまって正常に機能しなくなるという問題が発生する。また、インダクタンス値を大きくしようとするとチョークコイルが大型化するので、装置小型化の妨げになる。このような問題を防止するためにはインダクタンス回路９のインダクタンス値を小さく抑える必要がある。
【００２６】
上記のことを考慮して、本発明者は、インダクタンス値を段階的に可変することができるスィンギングチョークコイル１５をインダクタンス回路９に用いることを考え、そのスィンギングチョークコイル１５に次に示すようなインダクタンス特性を持たせた。
【００２７】
つまり、スィンギングチョークコイル１５が持つインダクタンス値ＬＬ，ＬＳのうち、大きい方のインダクタンス値ＬＬは、ソフトスタート期間中の整流モード切り換えに起因した出力電圧Ｖｏｕｔの低下変動を抑制することができるインダクタンス値となっている。また、小さい方のインダクタンス値ＬＳは、出力電圧Ｖｏｕｔが立ち上がって通常運転を行っているときにスィンギングチョークコイル１５が飽和しないインダクタンス値となっている。
【００２８】
さらに、可飽和コア部１７が飽和してスィンギングチョークコイル１５のインダクタンス値が大きい方のインダクタンス値ＬＬから小さい方のインダクタンス値ＬＳに切り換わる電流値Ｉｐは、この第１実施形態例では、次に示すように設定されている。つまり、その設定値Ｉｐは、チョークコイル電流連続モードの電流範囲内（つまり、出力電流Ｉｏが臨界点の電流ＩＡ以上（Ｉｏ≧ＩＡ））であって、かつ、スイッチング電源装置１の出力電圧Ｉｏが設定の最大値（垂下点）よりも小さい電流範囲内の適宜な電流値（例えば臨界点の電流値ＩＡ）に設定されている。これにより、この第１実施形態例では、同期整流器５，６がターンオンし始めてからソフトスタートが終了して通常運転に移行するまでの間に、スィンギングチョークコイル１５のインダクタンス値が、大きいインダクタンス値ＬＬから小さいインダクタンス値ＬＳに切り換わる。
【００２９】
上記のようなスィンギングチョークコイル１５によりインダクタンス回路９が構成されているので、インダクタンス回路９は、スィンギングチョークコイル１５の通電電流ＩＬが設定値Ｉｐよりも小さくなったときにインダクタンス値が大きくなる可変インダクタンス回路と成っている。この第１実施形態例では、スィンギングチョークコイル１５によりインダクタンス回路９を構成することによって、ソフトスタート期間中の整流モード切り換えに起因した出力電圧Ｖｏｕｔの低下変動を抑制することができる。これにより、この第１実施形態例のスイッチング電源装置１は、図５（ｂ）の実線に示すような出力特性を得ることができる。その上、通常運転中のインダクタンス回路９の飽和をも防止できる。
【００３０】
以下に、第２実施形態例を説明する。この第２実施形態例のスイッチング電源装置１では、図３に示されるように、インダクタンス回路９は、インダクタンス値が互いに異なるインダクタ２３，２４の直接接続体により構成されている。それ以外の構成は図４に示すスイッチング電源装置１と同様である。
【００３１】
例えば、インダクタ２３，２４の一方側が図３（ｂ）の鎖線Ｉｄ１に示すようなインダクタンス特性を持ち、他方側が点線Ｉｄ２に示すようなインダクタンス特性を持っている場合には、インダクタ２３，２４の直列接続体から成るインダクタンス回路９は、実線Ｉｄｔに示すようなインダクタンス特性を持つこととなる。つまり、第１実施形態例に示したスィンギングチョークコイルと同様のインダクタンス特性を持つことができる。
【００３２】
すなわち、この第２実施形態例に示すインダクタンス回路９は、通電電流ＩＬに応じて、インダクタ２３，２４の両方が関与するインダクタンス値ＬＬと、インダクタ２３，２４のうちの小さいインダクタンス値を持つ側のインダクタが関与するインダクタンス値Ｌｓとを有することができる。
【００３３】
このことから、この第２実施形態例では、インダクタ２３，２４は次に示すような条件（１）〜（３）を全て満たすことができる特性を有している。
（１）インダクタ２３のインダクタンス値と、インダクタ２４のインダクタンス値とを加算したインダクタンス値ＬＬは、ソフトスタート期間中の整流モード切り換えに起因した出力電圧Ｖｏｕｔの低下変動を抑制できるインダクタンス値であること。
（２）インダクタ２３，２４のうちの小さいインダクタンス値Ｌｓを有する方のインダクタは、ソフトスタートが終了した後の通常運転中の通電電流ＩＬで飽和しないこと。
（３）インダクタ２３，２４のうちの大きいインダクタンス値を有する方のインダクタは、同期整流器５，６がターンオンし始めたときの通電電流ＩＬよりも大きく、かつ、ソフトスタートが終了して通常運転に移行した以降の通電電流ＩＬよりも小さい電流範囲内の予め定めた設定値Ｉｐよりも大きい通電電流ＩＬで飽和する。つまり、同期整流器５，６がターンオンし始めてからソフトスタートが終了するまでの期間中に、インダクタンス回路９のインダクタ２３，２４の一方が飽和して、インダクタンス回路９のインダクタンス値は、大きいインダクタンス値ＬＬから小さいインダクタンス値Ｌｓに切り換わること。
【００３４】
この第２実施形態例では、条件（１）〜（３）の全てを満たすことができるインダクタ２３，２４の直列接続体によりインダクタンス回路９を構成することで、第１実施形態例と同様に、ソフトスタート期間中の整流モード切り換えに起因した出力電圧Ｖｏｕｔの低下変動を抑制できると共に、通常運転中のインダクタンス回路９の飽和を回避できる。
【００３５】
なお、この発明は第１や第２の各実施形態例の形態に限定されるものではなく、様々な実施の形態を採り得る。例えば、第１と第２の各実施形態例では、同期整流器駆動回路７は、二次コイルＮ２に誘起された電圧を利用して同期整流器５，６の駆動制御を行う構成であったが、例えば、二次コイルＮ２に補助コイルを設け、同期整流器駆動回路７は、その補助コイルに誘起される電圧を利用して同期整流器５，６の駆動制御を行う構成としてもよい。
【００３６】
また、第１と第２の各実施形態例の構成に加えて、同期整流器５，６のソース−ドレイン間を短絡する短絡通路を設け、当該短絡通路にダイオード（例えばショットキーダイオード）を介設してもよい。この場合には、ソフトスタートが開始されてから同期整流器５，６がターンオンし始めるまでのダイオード整流モード中において、電流は、その外付けのダイオードに通電し、そのダイオードによって整流が行われる。
【００３７】
【発明の効果】
トランスの二次側から出力された電圧を同期整流器を利用して整流する構成を備えたスイッチング電源装置において、ソフトスタート機能を備えている場合に、そのソフトスタートが開始されてから少なくとも同期整流器のドライブ電圧が設定のスレッショルド電圧を越えるまでの期間においては、二次側整流平滑部のインダクタンス回路のインダクタンス値を大きくすることによって、同期整流器が初めてターンオンして整流モードが切り換わった直後の出力電圧の低下変動を抑制することができる。これにより、良好なソフトスタートを達成することができる。
【００３８】
しかし、ソフトスタートが終了して通常運転に移行した以降にも、インダクタンス回路が、引き続き、整流モード切り換え直後の出力電圧低下変動を抑制できる大きなインダクタンス値のままでは、インダクタンス回路が飽和して正常に機能しなくなってしまう。
【００３９】
これに対して、この発明では、二次側整流平滑部を構成するインダクタンス回路は、インダクタンス値が可変する可変インダクタンス回路と成している。このため、その可変インダクタンス回路に、通常運転中に飽和しない小さいインダクタンス値を持たせることで、通常運転中の可変インダクタンス回路の飽和を防止できる。しかも、可変インダクタンス回路は当該回路の通電電流が設定値よりも小さくなったときには大きなインダクタンス値に可変できるので、その大きなインダクタンス値によって、電源投入後に同期整流器が初めてターンオンして整流モードが切り換わった直後の出力電圧の低下変動を抑制することが可能となる。
【００４０】
よって、この発明の構成を備えることによって、ソフトスタートを良好に行うことができ、かつ、インダクタンス回路の飽和を回避できるスイッチング電源装置を提供することができる。これにより、スイッチング電源装置の動作の信頼性を向上させることができる。
【００４１】
また、可変インダクタンス回路がスィンギングチョークコイルにより構成されているものや、可変インダクタンス回路が、インダクタンス値の互いに異なる複数のインダクタの直列接続体により構成されているものにあっては、回路構成の煩雑化を防止しながら、上記のような優れた効果を得ることができる。
【図面の簡単な説明】
【図１】第１実施形態例のスイッチング電源装置において特徴的なスィンギングチョークコイルを説明するための図である。
【図２】ダイオード整流モード中と同期整流器整流モード中のそれぞれにおけるスイッチング電源装置の出力電流Ｉｏと出力電圧Ｖｏｕｔの関係例を示すグラフである。
【図３】第２実施形態例のスイッチング電源装置を説明するための図である。
【図４】スイッチング電源装置の一回路構成例を示す回路図である。
【図５】ソフトスタートを説明するための図である。
【図６】ソフトスタート期間中に同期整流器に加えられる制御用の信号の波形例を示す図である。
【図７】ソフトスタート期間中の整流モード切り換えに起因した出力電圧Ｖｏｕｔの低下変動の理由を説明するための図である。
【符号の説明】
１  スイッチング電源装置
２  トランス
４  二次側整流平滑部
５，６  同期整流器
９  インダクタンス回路
１１  出力電圧間接検出部
１２  スイッチング制御部
１３  ソフトスタート制御部
１５  スィンギングチョークコイル
１７  可飽和コア部
１８  非飽和コア部
２３，２４  インダクタ
Ｑ  スイッチ素子
【図１】
2004274904.tif 000003
【図２】
2004274904.tif 000004
【図３】
2004274904.tif 000005
【図４】
2004274904.tif 000006
【図５】
2004274904.tif 000007
【図６】
2004274904.tif 000008
【図７】
2004274904.tif 000009